(57)【要約】【課題】覆い装置を車椅子とともに折畳み、拡開できるようにすることにより、介護者の負担が軽減できる折畳み式車椅子の覆い装置を得る。【解決手段】左右方向に開閉可能に連結された左右一対のサイドフレーム（２）に走行用の車輪を取り付け、各サイドフレーム（２）の、前後方向に延出する座杆（２ａ）及び上下方向に延出する背杆（２ｂ）にそれぞれ可撓性の座及び背受けを取り付けてなる折畳み式車椅子（１）を設け、前記各背杆（２ｂ）の上部に左右一対の支柱（１１）を左右軸心を中心として回動可能に連結し、前記各支柱（１１）の回動端部に左右一対の支持杆（１２）を左右軸心を中心として回動可能に連結し、前記支持杆（１２）に可撓性の覆い（２５）を設け、各支持杆（１２）の左右方向の拡開状態を保持する保持リンク（２０）を設け、各支持杆（１２）の下方への回動を規制する規制リンク（１８）を設ける。【選択図】図１
0003134116.tif 000002
【実用新案登録請求の範囲】
【請求項１】
左右方向に開閉可能に連結された左右一対のサイドフレーム（２）に走行用の車輪を取り付け、各サイドフレーム（２）の、前後方向に延出する座杆（２ａ）及び上下方向に延出する背杆（２ｂ）にそれぞれ可撓性の座及び背受けを取り付けてなる折畳み式車椅子（１）を設け、前記各背杆（２ｂ）の上部に左右一対の支柱（１１）を左右軸心を中心として回動可能に連結し、前記各支柱（１１）の回動端部に左右一対の支持杆（１２）を左右軸心を中心として回動可能に連結し、前記支持杆（１２）に可撓性の覆い（２５）を設けたことを特徴とする折畳み式車椅子の覆い装置。
【請求項２】
各支持杆（１２）の左右方向の拡開状態を保持する保持リンク（２０）を設けたことを特徴とする請求項１記載の折畳み式車椅子の覆い装置。
【請求項３】
各支持杆（１２）の下方への回動を規制する規制リンク（１８）を設けたことを特徴とする請求項１又は２記載の折畳み式車椅子の覆い装置。
【請求項４】
支持杆（１２）の回動端部に背杆（２ｂ）の上部と係脱可能な係止具（２１）を設けたことを特徴とする請求項１〜３何れか１項に記載の折畳み式車椅子の覆い装置。
【請求項５】
覆い（２５）を外面シート（２５ａ）と内面シート（２５ｂ）とにより二重に形成し、内面シート（２５ｂ）の一部に開閉口（２６）を設けたことを特徴とする請求項１〜４何れか１項に記載の折畳み式車椅子の覆い装置。
【考案の詳細な説明】
【技術分野】
【０００１】
本考案は、身障者、高齢者等の搭乗者に対する日除け、あるいは雨除けに供する折畳み式車椅子の覆い装置に関するものである。
【背景技術】
【０００２】
従来の技術として、Ｘリンクにより左右方向に開閉可能に連結された左右一対の支柱を車椅子の背当てフレームに着脱可能に取り付け、各支柱の上部に左右一対の天蓋フレームを左右軸心を中心として回動可能に連結するとともに、該天蓋フレームを前記支柱に対して前方に向けて屈曲保持する支持棒を設け、前記天蓋フレーム及び支柱に防水布を取り付けるようにした車椅子用天蓋があった。
【０００３】
前記従来のものは、使用時と不使用時とによって天蓋を車椅子に取り付け、取り外しするようにしていたため、車椅子への天蓋の取り付け、取り外し頻度が増大し、手数を要するものであった。また、走行の途中で車椅子に天蓋を取り付け、取り外しする際には、未装着の天板を個別に携行する必要があり、介護者の負担が増大するものであった。
【特許文献１】特開２００５−６１５号公報
【考案の開示】
【考案が解決しようとする課題】
【０００４】
本考案は、覆い装置を車椅子に取り付けた状態で、車椅子とともに折畳み、拡開できるようにすることにより、介護者の負担が軽減できる折畳み式車椅子の覆い装置を得ることを目的とする。
【課題を解決するための手段】
【０００５】
本考案は、上記目的を達成するために以下の如く構成したものである。即ち、請求項１に係る考案は、左右方向に開閉可能に連結された左右一対のサイドフレームに走行用の車輪を取り付け、各サイドフレームの、前後方向に延出する座杆及び上下方向に延出する背杆にそれぞれ可撓性の座及び背受けを取り付けてなる折畳み式車椅子を設け、前記各背杆の上部に左右一対の支柱を左右軸心を中心として回動可能に連結し、前記各支柱の回動端部に左右一対の支持杆を左右軸心を中心として回動可能に連結し、前記支持杆に可撓性の覆いを設ける構成にしたものである。
請求項２に係る考案は、前記各支持杆の左右方向の拡開状態を保持する保持リンクを設けたものである。
請求項３に係る考案は、前記各支持杆の下方への回動を規制する規制リンクを設けたものである。
請求項４に係る考案は、前記支持杆の回動端部に背杆の上部と係脱可能な係止具を設けたものである。
請求項５係る考案は、前記覆いを外面シートと内面シートとにより二重に形成し、内面シートの一部に開閉口を設けたものである。
【考案の効果】
【０００６】
請求項１に係る考案は、車椅子を左右方向に拡開させた状態で、左右の支柱を上方に回動させ、次いで左右の支持杆を前方（車椅子の進行方向）に回動させると、覆いが車椅子の搭乗者に対し、日除け、雨除けの機能を発揮することになる。
前記の状態で、左右の支柱を後下方に回動させ、次いで前記左右の支持杆を上方に回動させると、前記支柱及び支持杆が背杆に沿って折り畳まれるとともに、覆いが背受けの後面に対面、即ち、覆い装置が車椅子の後面で面状に折り畳まれ、介護者による車椅子の操縦が阻害されなくなる。次いで、前記車椅子を左右方向に折り畳むと、各支持杆を介して覆いが左右方向に折り畳まれることになる。これにより、車椅子を覆い装置とともに車内あるいは家屋内に小スペースで格納することができる。
請求項２に係る考案は、支持杆を支柱から前方に向けて回動させ、この状態で保持リンクを作動させると、覆いが各支持杆によって張られ、搭乗者に対する日除け、雨除けの機能が高くなる。
請求項３に係る考案は、支持杆を支柱から前方に向けて回動させ、この状態で規制リンクを作動させると、前記支持杆が不用意に下方へ回動しなくなり、搭乗者に対する安全性が高くなる。
請求項４に係る考案は、支柱及び支持杆を折畳み、係止具を背杆の上部に係止すると、前記支持杆が不用意に後方へ回動しなくなり、車椅子を安全に操縦することができる。
請求項５に係る考案は、覆いが二重となるので、日光及び雨の遮蔽機能が高くなる。また、覆いを開閉口から支持杆に挿入、又は離脱させることができるので、支持杆への覆いの取り付け、取り外しが容易となる。
【考案を実施するための最良の形態】
【０００７】
以下本考案の実施例を図面に基づいて説明する。図において、図１は本考案の使用状態を示す側面図、図２は本考案による覆い装置の一次折畳み状態を示す側面図、図３は本考案による覆い装置の二次折畳み状態を示す側面図、図４は支持杆の上下折畳み状態を示す要部側面図、図５は上下に折り畳んだ支持杆の係止状態を示す要部側面図、図６は支持杆を左右に拡開させた状態の平面図、図７は支持杆を左右に折り畳んだ状態の平面図、図８は支持杆への覆いの取り付け状態を示す正面断面図、図９は図８のＡ部拡大断面図、図１０は図８のＢ部拡大断面図である。
【０００８】
図１において、１は折畳み式車椅子（以下「車椅子」という）、１０は該車椅子１に取り付けた覆い装置である。前記車椅子１は、左右一対のサイドフレーム２を左右方向に折畳み可能に連結し、該サイドフレーム２の後部側に大径の車輪３を、前部側に小径の車輪４をそれぞれ取り付ける。前記各サイドフレーム２は側面視椅子形に形成し、前後方向に延出する座杆２ａ及び該座杆２ａの後端（図１において右端）から上方に延出する背杆２ｂにそれぞれシートからなる可撓性の座及び背受けを取り付け、座杆２ａの前端から下方に延出する脚杆２ｃの下部に足乗せ５を取り付ける。また、前記背杆２ｂの上端部を後方に屈曲させ、この部に車椅子操縦用のグリップ６を取り付ける。
【０００９】
覆い装置１０は、前記背杆２ｂに連結される左右一対のパイプ製の支柱１１、該支柱１１に連結される左右一対のパイプ製の支持杆１２、該支持杆１２に取り付けるシート製の覆い２５を主要部品として構成され、以下の如くなっている。即ち、前記左右の背杆２ｂの上部に締結具１３を介して短尺な補助パイプ１４（図４）を上方に向けて突出固定し、該補助パイプ１４の上端部にヒンジ付きの第１パイプ継手１５を取り付ける。
【００１０】
前記第１パイプ継手１５は、図４に示すように、上部１５ａと下部１５ｂとを左右方向の支点ピンＰ１により回動可能に連結し、下部１５ｂを前記補助パイプ１４の上端部に固定し、上部１５ａを支柱１１の下端部に連結し、該支柱１１を前記支点ピンＰ１を中心として車椅子１の後部側から上方に向けて回動可能にする。前記下部１５ａは規制壁１５ｃを有し、該規制壁１５ｃは支柱１１が上方に回動された際に、該支持杆１１の上方位置から前方への過回動を規制するようになっている。また、前記支点ピンＰ１部に、支柱１１が上方に回動された際に、該支柱１１の回動を前記上方位置でロック又は解除するロックレバー１５ｄを有する。
【００１１】
前記支柱１１の回動端部（上端部）にヒンジ付きの第２パイプ継手１７を介して支持杆１２を回動可能に連結する。第２パイプ継手１７は、図４に示すように、基部１７ａと端部１７ｂとを左右方向の支点ピンＰ２により回動可能に連結し、基部１７ａを前記支柱１１の回動端部（上端部）に固定し、端部１７ｂを支持杆１２の下端部に連結する。これにより、支持杆１２を、前記支点ピンＰ２を中心として回動可能にする。前記支点ピンＰ２部に支持杆１２の回動をロック又は解除するロックレバー１７ｃを設け、支持杆１２が図１に示すように、前方（車椅子の進行方向）に回動された際に、前記ロックレバー１７ｃをロック方向に作動させて支持杆１２を支柱１１に固定する。
【００１２】
また、支持杆１２が前記前方に回動された際に、該支柱１１の下方への回動を規制する規制リンク１８を設ける。該規制リンク１８は、図１に示すように、二つのリンクロッド１８ａ、１８ｂを互いに屈曲可能に連結して支柱１１と支持杆１２との連結部に配置し、上部のリンクロッド１８ａの上端を支持杆１２にピン連結し、下部のリンクロッド１８ｂの下端を支柱１１にピン連結し、開き角度が１８０度よりも若干大きくなった時点でそれ以上の開きを規制する規制片を設けてなり、前記支持杆１２が前方に回動された際に、前記規制リンク１８の開き角度を１８０度よりも若干大きくなる如く操作して前記規制片を作動させ、これにより前記支柱１１の下方への回動を規制する。
【００１３】
前記左右の支持杆１２は、図６に示すように、Ｘ形の連結リンク１９によって左右方向に開閉可能に連結され、また、左右方向に拡開された際に、この拡開状態が保持リンク２０によって保持される。前記連結リンク１９は、左右の第１リンクロッド１９ａをＸ形に交差させて支点ピンＰ３により互いに回動可能に連結し、該第１リンクロッド１９ａの前端を左右の支点ピンＰ４により左右の支持杆１２の前部に回動可能に連結する。また、前記第１リンクロッド１９ａの後端を左右の支点ピンＰ５により左右の第２リンクロッド１９ｂの一端（内端）に回動可能に連結し、該第２リンクロッド１９ｂの他端（外端）を支点ピンＰ６により支持杆１２の後部に回動可能に連結する。図６、図７において、１６は各支持杆１２に外側方に張り出して固定した側部杆である。
【００１４】
前記保持リンク２０は、二つのリンクロッド２０ａ、２０ｂを互いに屈曲可能に連結し、その左右端を前記支点ピン４に回動可能に連結し、開き角度が１８０度よりも若干大きくなった時点でそれ以上の開きを規制する規制片を設けてなり、図６に示すように、支持杆１２が左右方向に拡開された際に、前記保持リンク２０の開き角度を１８０度よりも若干大きくなる如く操作して前記規制片を作動させ、各支持杆１２の左右方向の拡開状態を保持する。また、支持杆１２を左右方向に接近させる（畳む）際には、前記保持リンク２０の開き角度を１８０度以下となるように操作すると、図７に示すように、連結リンク１９が折り畳まれ、左右の支持杆１２が互いに接近する（畳まれる）ことになる。
【００１５】
図４、図５において、２１は前記各支持杆１２の先端部（回動端部）に取り付けた係止具である。該係止具２１は、同図において下方に突出する突起２１ａを有し、各支持杆１２の先端部を支柱１１の下部（図４において上部）に接近させた際に、前記突起２１ａを支点ピンＰ１部に上方から係合させ、前記支持杆１２が後方に向かって不用意に回動するのを防止するものである。
【００１６】
前記支持杆１２に可撓性の覆い２５を設ける。該覆い２５は、図８〜図１０に示すように、外面シート２５ａと内面シート２５ｂとにより二重に形成し、内面シート２５ｂの左右中心部にファスナーによって開閉される下面開閉口２６を、左右側部にファスナーによって開閉される側面開閉口２７をそれぞれ形成する。そして、前記下面開閉口２６を開いてこの部から覆い２５内に前記支持杆１２及び連結リンク１９を挿通し、また、側面開閉口２７を開いてこの部から側部杆１６を挿通した後、下面開閉口２６及び側面開閉口２７を閉じることにより、前記覆い２５を支持杆１２、及び側部杆１６に係止する。図９において、２８は外面シート２５ａを連結リンク１９に止める止め紐である。なお、前記覆い２５は、図１に示すように、後部側を透視性のシート２５ｃにより形成し、介護者Ｍ２が車椅子１を操縦する際に、前方の視野が広がるようにしている。
【００１７】
次に前記実施例の使用態様について説明する。まず、車椅子１を左右方向に拡開させ、搭乗者Ｍ１を車椅子に乗せる。なお、搭乗者Ｍ１は覆い装置１０を開作動させた後に乗せるようにしてもよい。次いで、支持杆１２を、図２の実線で示すように、後方に回動させる。即ち、係止具２１を支点ピンＰ１から離脱させて支持杆１２を後方に回動させ、第２パイプ継手１７のロックレバー１７ｃをロック操作するとともに、規制リンク１８の開き角度を１８０度以上となるように操作する。
【００１８】
次いで、左右の支柱１１を、図２の仮想線で示すように、上方に回動させ、第１パイプ継手１５のロックレバー１５ｄをロック操作し、また、保持リンク２０の開き角度を１８０度以上となるように操作する。さすれば、図１に示すように、覆い２５が搭乗者Ｍ１の上方を覆うことになり、介護者Ｍ２が車椅子１を操縦して搭乗者Ｍ１を屋外に連れ出した際に、前記覆い２５が搭乗者Ｍ１の日除け、雨除けの機能を発揮することになる。
【００１９】
次に覆い装置１０を畳む際には、前述と逆の操作、即ち、第１パイプ継手１５のロックレバー１５ｄを解除操作し、左右の支柱１１及び支持杆１２を、図２の実線で示すように後方から下方に回動させ、次いで、第２パイプ継手１７のロックレバー１７ｃを解除操作するとともに、規制リンク１８の開き角度を１８０度以下となるように操作し、図３の実線で示すように、前記支持杆１２を第２パイプ継手１７の支点ピンＰ２を中心として上方に回動させ、係止具２１を第１パイプ継手１５の支点ピンＰ１部に係止する。
【００２０】
これにより、覆い装置１０が車椅子１の後面で面状に折り畳まれ、介護者Ｍ２は通常の動作で車椅子１を操縦することができる。また、搭乗者Ｍ１を降ろし、前記車椅子１を左右方向に折り畳むと、各支持杆１２を介して覆い２５が左右方向に折り畳まれ、車椅子１を覆い装置１０とともに車内あるいは家屋内に小スペースで格納することができる。
【図面の簡単な説明】
【００２１】
【図１】本考案の使用状態を示す側面図である。
【図２】本考案による覆い装置の一次折畳み状態を示す側面図である。
【図３】本考案による覆い装置の二次折畳み状態を示す側面図である。
【図４】支持杆の上下折畳み状態を示す要部側面図である。
【図５】上下に折り畳んだ支持杆の係止状態を示す要部側面図である。
【図６】支持杆を左右に拡開させた状態の平面図である。
【図７】支持杆を左右に折り畳んだ状態の平面図である。
【図８】支持杆への覆い取り付け状態を示す正面断面図である。
【図９】図８のＡ部拡大断面図である。
【図１０】図８のＢ部拡大断面図である。
【符号の説明】
【００２２】
１    折畳み式車椅子
２    サイドフレーム
２ａ  座杆
２ｂ  背杆
２ｃ  脚杆
３    大径の車輪
４    小径の車輪
５    足乗せ
６    グリップ
１０    覆い装置
１１    支柱
１２    支持杆
１３    締結具
１４    補助パイプ
１５    第１パイプ継手
１５ａ  上部
１５ｂ  下部
１５ｃ  規制壁
１５ｄ  ロックレバー
１６    側部杆
１７    第２パイプ継手
１７ａ  基部
１７ｂ  端部
１７ｃ  ロックレバー
１８    規制リンク
１８ａ、１８ｂ  リンクロッド
１９    連結リンク
１９ａ  第１リンクロッド
１９ｂ  第２リンクロッド
２０    保持リンク
２１    係止具
２１ａ  突起
２５    覆い
２５ａ  外面シート
２５ｂ  内面シート
２６    開閉口
【図１】
0003134116.tif 000003
【図２】
0003134116.tif 000004
【図３】
0003134116.tif 000005
【図４】
0003134116.tif 000006
【図５】
0003134116.tif 000007
【図６】
0003134116.tif 000008
【図７】
0003134116.tif 000009
【図８】
0003134116.tif 000010
【図９】
0003134116.tif 000011
【図１０】
0003134116.tif 000012